(57)【特許請求の範囲】
【請求項１】
左右一対のカップと、端縁にほつれ止めのヘムが形成された伸縮性編地より成ると共に、前記カップから背後に延びる装着ベルトとを備え、前記伸縮性編地のヘムで装着ベルトの下縁を構成し、前記装着ベルトの脇部にボーンが上下方向に沿って取り付けられたブラジャーにおいて、伸縮しにくい生地より成るフロントパネルを前記左右のカップの間、カップの下方及びカップの脇側に亘って装着し、前記カップの脇側において該フロントパネルの両側端部を前記装着ベルトに重合固定し、前記フロントパネルの装着ベルトに重合された部分を、上縁に近づくほど幅広くなるよう形成して、その上部が前記ボーンよりも外側において前記装着ベルトに重合されると共に、前記ボーンよりも内側において装着ベルトの下部に、前記フロントパネルが重合されない伸縮部を形成してあることを特徴とするブラジャー。
【請求項２】
前記装着ベルトの下部に、締め付け力が上方のベルト本体部よりも強く、且つ、下縁からベルト本体部に向かって複数段階に亘り次第に弱くなるよう編成したパワー切換部を形成してあることを特徴とした請求項１に記載のブラジャー。
【請求項３】
前記パワー切換部において、締め付け力が異なる部分の幅を、締め付け力の強いものほど狭くした請求項２に記載のブラジャー。
【発明の詳細な説明】
【０００１】
【発明の属する技術分野】
本発明は、ブラジャーに関する。
【０００２】
【従来の技術】
一般的なブラジャーは、左右一対のカップと、カップが装着されたフロントパネルと、カップ及びフロントパネルの外縁から背部に向かって延び、伸縮性編地を素材とするバック部とを備え、フロントパネル及びバック部の下縁に沿って伸縮性テープを装着してある。
ところが、胸部から脇部にかけての肉は軟らかいので、フロントパネル及びバック部の下縁に装着したテープが食い込み、この食い込み部が外衣の外からも見えて体裁が悪いばかりか、ごろついて着用感も劣り、甚だしい場合にはかぶれる心配さえあった。
【０００３】
そこで、フロント部及びバック部の下縁の食い込みを防ぐために、端縁にほつれ止めのヘムを形成した伸縮性編み地を用い、編み地のヘムでフロント部及びバック部の下縁を構成したブラジャーが登録実用新案第３０５２２１７号公報に開示されている。
しかし、このようにカップの下方及び脇側を薄い一枚の伸縮性編み地で構成すると、乳房を寄せ上げる効果が小さく、バストを美しく補整しにくい。
【０００４】
さらに、左右カップ周りは非伸縮性生地で構成し、バック部は伸縮性編織地で構成すると共に、バック部の上辺部位、中間部位、下辺部位はその着用圧をそれぞれ中・弱・強としてあるブラジャーが特許第３０８９００９号公報に開示されている。
しかし、非伸縮性生地で構成された土台部分が、カップの側方において上下同幅に形成されているので、伸縮性が必要な脇部下縁が伸びにくく、このため着用感が悪くなる。
また、バック部下辺部位の締め付け力をその上方の中間部位の締め付け力に比べて一気に強くすると、中間部位と下辺部位との境目で肉が膨らんで大きな段差が生じ、非常に外観が悪い。
【０００５】
【発明が解決しようとする課題】
この発明は、補整効果が高くて、装着ベルトの下縁が肌に食い込む虞が無く、着用感が良好なブラジャーを提供することを課題とする。
【０００６】
【課題を解決するための手段】
本発明のブラジャーは、左右一対のカップと、端縁にほつれ止めのヘムが形成された伸縮性編地より成ると共に、該カップから背後に延びる装着ベルトとを備え、前記伸縮性編地のヘムで装着ベルトの下縁を構成し、前記装着ベルトの脇部にボーンが上下方向に沿って取り付けられ、伸縮しにくい生地より成るフロントパネルを前記左右のカップの間、カップの下方及びカップの脇側に亘って装着し、カップの脇側においてフロントパネルの両側端部を装着ベルトに重合固定し、フロントパネルの装着ベルトに重合された部分を、上縁に近づくほど幅広くなるよう形成して、その上部が前記ボーンよりも外側において前記装着ベルトに重合されると共に、前記ボーンよりも内側において装着ベルトの下部に、前記フロントパネルが重合されない伸縮部を形成してある。
【０００７】
伸縮性編地のヘムで装着ベルトの下縁を構成したことにより、装着ベルトの下縁に沿って伸縮性テープを装着する手間を省き、該下縁の肌への食い込みを防止することができる。
伸縮しにくい生地でフロントパネルを構成した結果、バストの補整機能が高まり、フロントパネルの装着ベルトに重合された部分を、上縁に近づくほど幅広くしたことによって、乳房の上部を脇から寄せる効果が高まり、しかも、装着ベルトの脇下部の伸縮性が抑制されないためいっそう着用感が向上する。
【０００８】
また、装着ベルトの下部に、締め付け力が上方のベルト本体部よりも強く、且つ、下縁からベルト本体部に向かって複数段階に亘り次第に弱くなるよう編成したパワー切換部を形成することもある。
パワー切換部の締め付け力をベルト本体部の締め付け力よりも強くし、且つ、下縁からベルト本体部に向かって段階的に弱くした構成により、胸部及び脇部の肉を寄せ上げた状態で保持する補整力を弱めず、しかも、装着ベルトのパワー切換部の上方において皮膚が膨らみ、大きな段差が形成されるのを防ぐ。
【０００９】
この時、パワー切換部において、締め付け力が異なる部分の幅を、締め付け力の強いものほど狭くすることが望ましい。
締め付け力が強い部分は大きい力で肌を押さえつけるため、この部分の幅が広いと上方の締め付け力がやや弱い部分に大量の皮膚が押し上げられ、この結果、これより締め付け力の弱い部分が大きく膨らみやすいが、締め付け力が強いものほど狭くすることによって、各部分間に生ずる段差を小さくできる。
【００１０】
【発明の実施の形態】
以下、本発明の実施形態を図面に基づいて詳細に説明する。
図１及び図２に示すように、ブラジャー１は、左右一対のカップ２と、カップ２から背後に伸びる左右一対の装着ベルト３と、左右のカップ２の間、カップ２の下方及びカップ２の脇側に亘って装着され、カップ２を支持するフロントパネル４と、カップ２の上端から装着ベルト３の背部寄り上端にそれぞれ掛け渡された左右のストラップ５とを備える。
【００１１】
装着ベルト３は、図３に示す如き端縁にほつれ止めのヘム６が形成された伸縮性編地７を、ヘム６が下縁になるよう裁断して構成される。
伸縮性編地７の両側端部には、編地中央部７’よりも締め付け力が強く、且つ、端縁から編地中央部７’に向かって複数段階に亘り次第に締め付け力が弱くなるよう編成したパワー切換部８が形成される。
図３に示す例では、パワー切換部８は、端部寄りに形成された最も締め付け力の強い強パワー部分８ａと、その内側に形成された締め付け力がやや弱い中パワー部分８ｂとに編み分けられており、強パワー部分８ａから編地中央部７’に向かって２段階で締め付け力が弱くなっている。
【００１２】
具体的には、締め付け力を段階的に弱くするために、強パワー部分８ａで８４０デニール、中パワー部分８ｂで５６０デニール、編地中央部７’で２８０デニールと、デニール数を１／３づつ小さくしてある。
また、強パワー部分８ａの幅は３mmであって、パワー切換部８の他部分（中パワー部分８ｂ）の幅である１５mmよりもきわめて小さくなっている。
そして、この伸縮性編地７から２枚の装着ベルト３を、図３の破線で示すように、両側のヘム６がそれぞれの下縁を構成するように、且つ、先端部が互いに逆側に向くよう互い違いに裁断する。
【００１３】
このように、伸縮性編地７をヘム６が下縁になるよう裁断して装着ベルト３を構成すると、装着ベルト３の下部には、編地中央部７’で構成されたベルト本体部よりも締め付け力が強く、且つ、下縁からベルト本体部に向かって２段階に亘り次第に締め付け力が弱くなるよう編成したパワー切換部８が形成される。
そして、装着ベルト３の最下部に位置する強パワー部分８ａの幅が、パワー切換部８の他部分である中パワー部分８ｂに比較してきわめて狭くなる。
また、装着ベルト３の裏面及びカップ２の裏面脇部には、上縁に沿って伸縮性テープ９が装着され、装着ベルト３の裏面脇部には、布で被覆したボーン１０が上下方向に沿って取り付けられる。
さらに、装着ベルト３の先端には、互いに着脱自在に係合する雌雄の係止具１１，１１’がそれぞれ取り付けられている。
【００１４】
フロントパネル４は、伸縮しにくいナイリテスト等の生地より成り、図４に示すように、カップ２の下方に配置される左右の前下部片１２と、カップ２の脇側に配置される左右の脇片１３とを縫い合わせて形成され、その両側上部にカップ２を嵌合するための半円形の切欠１４が形成される。
そして、図１に示すように、フロントパネル４の両側端部に位置する脇片１３は装着ベルト３の表面に重合縫着される。脇片１３は上縁に近づくほど幅広くなるよう形成され、ボーン１０よりも内側（カップ２寄り）において、装着ベルト３の下部には、フロントパネル４が重合されない三角形の伸縮部１５が形成される。
【００１５】
図１に示すように、フロントパネル４の裏面には下縁に沿ってテープ１６が装着され、フロントパネルの裏面中央部には、左右の前下部片１２の縫着部に沿って補強テープ１７或いはボーンが取り付けられる。
また、前下部片１２と脇片１３との縫着部裏面に、補強テープ１８或いはボーンが取り付けられる。
さらに、図２に示すように、装飾性を高めるために、フロントパネル４の表面にレース１９を重ねても良い。
【００１６】
なお、装着ベルト３の各部位のデニール数、即ち伸縮性編地７の各部位のデニール数は、必要に応じて適宜変更することができ、ベルト本体部の締め付け力と強パワー部８ａの締め付け力との差が大きい場合には、パワー切換部８の締め付け力を３段階で弱くすることも可能である。この場合、パワー切換部８において締め付け力が異なる部分の幅は、締め付け力が強いものほど狭くする。
また、強パワー部８ａの幅とパワー切換部８の他部分の幅は、締め付け力の変更に応じて増減することができる。
【００１７】
【発明の効果】
本発明によれば、装着ベルトの下縁に沿って伸縮性テープを装着する手間を省くことができ、装着ベルトの下縁が薄く仕上がって違和感が無く、肌へ食い込む心配がない。
また、伸縮しにくい生地のフロントパネルを設けたので、バストの補整機能が高まり、フロントパネルの装着ベルトに重合された部分を、上縁に近づくほど幅広くしたことによって、乳房の上部を脇から寄せる効果が高まり、しかも、装着ベルトの脇下部の伸縮性が抑制されないためいっそう着用感が向上する。
【００１８】
請求項２に係る発明では、装着ベルトの下縁を構成するパワー切換部の締め付け力によって、胸部及び脇部の肉を寄せ上げた状態で保持することができ、しかも、装着ベルトの下縁からその上方に亘って緩やかに変化する締め付け力で押さえるため、装着ベルトのパワー切換部の上方において皮膚が膨らみ、大きな段差が形成されることがなく、滑らかで美しいラインに補整することが可能である。
請求項３に係る発明によれば、締め付け力が強い部分によって、その上方のこれより締め付け力が弱い部分に大量の皮膚が押し上げられるのを防ぎ、この結果、締め付け力が異なる部分の間にできる段差を小さく抑えることができる。
【図面の簡単な説明】
【図１】本発明の実施形態を示すブラジャーの裏面図
【図２】ブラジャーの正面図
【図３】伸縮性編地の平面図
【図４】フロントパネルの正面図
【符号の説明】
１  ブラジャー
２  カップ
３  装着ベルト
４  フロントパネル
５  ストラップ
６  ヘム
７  伸縮性編地
７’  編地中央部
８  パワー切換部
８ａ  強パワー部
８ｂ  中パワー部
９  伸縮性テープ
１０  ボーン
１１，１１’  係止具
１２  前下部片
１３  脇片
１４  切欠
１５  伸縮部
１６  テープ
１７  補強テープ
１８  補強テープ
１９  レース
【図１】
0004170625.tif 000002
【図２】
0004170625.tif 000003
【図３】
0004170625.tif 000004
【図４】
0004170625.tif 000005